(57)【要約】【課題】レーザ出射端に生じる蓄熱を効率的に放熱するための機構を具備し、かつ、レーザ出射端の汚染を防止する機能を併せ持たせ、安全性、操作性に優れた医療用レーザ装置を提供することを課題とする。【解決手段】レーザ光源と、送風機構部と、前記レーザ光源から発したレーザ光を伝送するための導光系と、該導光系のレーザ光出力端を保持するためのハンドピースと、を有したレーザ医療装置において、前記導光系の光出力端は前記ハンドピース部内に具備された中空形状のヒートパイプ内を貫通させ、かつ、前記送風機構からの送風は前記導光系とは別に設けられた送風系を伝送させ、該送風系を経由した送風により前記ハンドピース部内に具備された前記ヒートパイプのヒートアウト部を冷却させる構造を有し、前記送風系を経由した送風は前記ハンドピース部のレーザ光出射端から放出される構造とした。【選択図】　　　図１
2004089393.tif 000002
【特許請求の範囲】
【請求項１】
レーザ光源と、送風機構部と、前記レーザ光源から発したレーザ光を伝送するための導光系と、該導光系のレーザ光出力端を保持するためのハンドピースと、を有したレーザ医療装置において、前記導光系の光出力端は前記ハンドピース部内に具備された中空形状のヒートパイプ内を貫通させ、かつ、前記送風機構からの送風は前記導光系とは別に設けられた送風系を伝送させ、該送風系を経由した送風により前記ハンドピース部内に具備された前記ヒートパイプのヒートアウト部を冷却させる構造を有し、前記送風系を経由した送風は前記ハンドピース部のレーザ光出射端から放出される構造としたことを特徴とするレーザ医療装置。
【請求項２】
前記導光系には光ファイバ、若しくは中空光ファイバ、若しくは多関節方式導光系を用いることを特徴とする請求項１記載のレーザ医療装置。
【請求項３】
レーザ光源と、第１の送風機構部と、第２の送風機構部と、前記レーザ光源から発したレーザ光を伝送するための導光系と、該導光系のレーザ光出力端を保持するためのハンドピースと、を有したレーザ医療装置において、前記導光系の光出力端は前記ハンドピース部内に具備された中空形状のヒートパイプ内を貫通させ、かつ、前記第１の送風機構からの送風は前記導光系とは別途設けられた第１の送風系を伝送させて前記ハンドピース部に導いて該ハンドピース部のレーザ光出射端から放出される構造とし、前記第２の送風機構は第２の送風系を介して前記ハンドピース部に接続され、該ハンドピース部内に具備された前記ヒートパイプのヒートアウト部を冷却させる機能をもたせたことを特徴とするレーザ医療装置。
【請求項４】
前記導光系には光ファイバ、若しくは中空光ファイバ、若しくは多関節方式導光系を用いることを特徴とする請求項３記載のレーザ医療装置。
【発明の詳細な説明】
【０００１】
【発明の属する技術分野】
本発明は、目的部位の生体組織を切開、剥離、凝固、蒸散、あるいは歯の研削、蒸散などを行うレーザ医療装置に関するものである。
【０００２】
【従来の技術】
従来の技術として知られている例として、特開平１１−５６８６７号公報がある。本公報記載の超音波手術装置は、電気音響変換器を介在する振動伝達系を併用することなく手術用ブレードとして直接被手術生体組織に当接させて超音波手術を行う超音波手術装置であり、電気音響変換器兼手術用ブレードは１人の患者または１件の手術業務のたびに使い捨てできるように交換可能に構成される。
【０００３】
この超音波手術装置において、電気音響変換器兼手術用ブレードは磁歪振動子であり、この振動子は長い棒状の保持手段に保持されて手術用トロカールの中を進入する事ができるように構成される。この棒状の保持手段はヒートパイプの機能を有し、保持手段兼ヒートパイプを介して該振動子が有効に冷却されるように構成されている。この棒状の保持手段としては、その一部あるいは全長がヒートパイプ、もしくはヒートパイプの代用物として熱伝導率の良い金属である銅の棒とか、往復管路による水冷、油冷、ないし加圧空冷系である。
【０００４】
以上のような構成にすることにより、振動子が運転中に副次的に発する熱を速やかにトロカールの外界に導出、棄却している。しかしながら、上述した従来例の超音波手術装置はレーザ光を用いた医療用レーザ装置に関しては何も記載していない。一方、棒状の保持手段の一部にヒートパイプを用いる場合、一般にヒートパイプのヒートイン部から導入された熱はヒートアウト部から放熱されるが、上記従来例には、ヒートアウト部から外界への熱の放出、棄却手段に関しては何も記載していない。このため、ヒートアウト部への熱の蓄熱が問題になっていた。また、上述した従来例の超音波手術装置は、直接被手術生体組織に当接させるブレードの汚染に関しては何も言及していない。
【０００５】
【発明が解決しようとする課題】
本発明は、安全性、操作性に優れたレーザ医療装置を実現し、かつ、レーザ出射部の先端チップの熱疲労を防止して装置の高寿命化を図ることを課題とする。
【０００６】
【課題を解決するための手段】
上記課題を解決するために本発明は、導光系の光出力端はハンドピース部内に具備された中空形状のヒートパイプ内を貫通させ、かつ、送風機構からの送風は前記導光系とは別に設けられた送風系を伝送させ、該送風系を経由した送風により前記ハンドピース部内に具備された前記ヒートパイプのヒートアウト部を冷却させる構造を有し、前記送風系を経由した送風は前記ハンドピース部のレーザ光出射端から放出されるような構造としたことを特徴とする。
【０００７】
【発明の実施の形態】
以下、図面により本発明の実施例を説明する。
（実施例１）
図１は本発明の第１の実施例のレーザ医療装置全体のブロック図である。本発明のレーザ装置は、目的部位の生体組織を切開、剥離、凝固、蒸散、あるいは歯の研削、蒸散などを行う医療用レーザ装置として用いられることを前提としたもので、電源１、レーザ発振器２、コントローラ３、送風機構４を備えた装置本体部５と術者が把持し被照射部にレーザ光を照射するためのハンドピース部８と、装置本体部５から出射したレーザ光をハンドピース部８に導くための伝送路である導光系６と、装置本体部５の送風機構４からハンドピース部８に送風するための送風系７とから構成されている。装置本体部５に設けられるレーザ発振器２としては、ＣＯ２、Ｎｄ：ＹＡＧ、Ｅｒ：ＹＡＧ、Ｈｏ：ＹＡＧ、エキシマ、半導体レーザなどが用いられる。導光系６には光ファイバ、若しくは中空光ファイバ、若しくは多関節方式導光系が用いられる。
【０００８】
図２はハンドピース部８の詳細である。ハンドピース部８は、装置本体部５に接続された導光系６と送風系７の端末に設けられており、ハンドピース本体部９と最終的なレーザ出力端である取替え可能な先端チップ部１０から成る。ハンドピース本体部９は、図示しないレーザ出射のオン・オフおよびレーザ出力を調節するためのレーザ出射光強度増減手段を備えており、本レーザ出射光強度増減手段における光強度調節量に関する情報は装置本体部５のコントローラ３に送られ、コントローラ３内の光量制御回路により制御され所望するレーザ出力を得る。
【０００９】
ハンドピース本体部９は、導光系６から出射するレーザ光を先端チップ部１０に導くための光学系を内蔵しており、この光学系はハンドピース本体部９内に設けられた中空形状のヒートパイプ１１を貫通させている。ヒートパイプ１１は吸熱するためのヒートイン部１２と吸熱した熱を放熱させるためのヒートアウト部１３をもち、ヒートイン部１２の先端は先端チップ部１０に接続され、反対側のヒートアウト部１３は効率的に放熱するのを促進させるために放熱フィン１４が取り付けられている。このような構造にすることで、出射レーザ光により加熱される先端チップ部１０の熱をヒートパイプ１１により伝導させ放熱フィン１４により外界に放熱させることができるので加熱した先端チップ部１０により目的外の生体組織を損傷する危険を低減することができる。また、加熱した先端チップ部１０に術者が接触した場合の安全性を向上することができる。
【００１０】
さらに本発明のレーザ医療装置では外界への放熱を効率良く行ない、かつ、先端チップ部１０の汚染を防止するために、ハンドピース本体部９が装置本体部５から導かれた送風系７に接続されている。ハンドピース本体部９に導かれた送風は図２の矢印に示すような経路を経てヒートパイプ１１のヒートアウト部１３に取り付けられた放熱フィン１４を冷却し、熱を外界に放出するのを促進させる。また、別経路により先端チップ部１０より送風が放出されるような構造にすることにより、術中において生体組織、血液などによる先端チップ部１０の汚染、目詰まりを防止することもできる。
（実施例２）
図３は本発明の第２の実施例のレーザ医療装置全体のブロック図である本発明のレーザ装置は、目的部位の生体組織を切開、剥離、凝固、蒸散、あるいは歯の研削、蒸散などを行う医療用レーザ装置として用いられることを前提としたもので、電源１、レーザ発振器２、コントローラ３、第１の送風機構１５、第２の送風機構１６、を備えた装置本体部５と術者が把持し被照射部にレーザ光を照射するためのハンドピース部８と、装置本体部５から出射したレーザ光をハンドピース部８に導くための伝送路である導光系６と、装置本体部５の第１の送風機構１５からハンドピース部８に送風するための第１の送風系１７と、第１の送風機構１５、第１の送風系１７とは別途に設けられている第２の送風機構１６、第２の送風系１８とから構成されている。装置本体部５に設けられるレーザ発振器２としては、ＣＯ２、Ｎｄ：ＹＡＧ、Ｅｒ：ＹＡＧ、Ｈｏ：ＹＡＧ、エキシマ、半導体レーザなどが用いられる。導光系６には光ファイバ、若しくは中空光ファイバ、若しくは多関節方式導光系が用いられる。
【００１１】
図４はハンドピース部８の詳細である。ハンドピース部８は、装置本体部５に接続された導光系６、第１の送風系１７、第２の送風系１８の端末に設けられており、ハンドピース本体部９と最終的なレーザ出力端である取替え可能な先端チップ部１０から成る。ハンドピース本体部９は、非図示のレーザ出射のオン・オフおよびレーザ出力を調節するためのレーザ出射光強度増減手段を備えており、本レーザ出射光強度増減手段における光強度調節量に関する情報は装置本体部５のコントローラ３に送られ、コントローラ３内の光量制御回路により制御され所望するレーザ出力を得る。
【００１２】
ハンドピース本体部９は、導光系６から出射するレーザ光を先端チップ部１０に導くための光学系を内蔵しており、この光学系はハンドピース本体部９内に設けられた中空形状のヒートパイプ１１を貫通させている。ヒートパイプ１１は吸熱するためのヒートイン部１２と吸熱した熱を放熱させるためのヒートアウト部１３をもち、ヒートイン部１２の先端は先端チップ部１０に接続され、反対側のヒートアウト部１３は効率的に放熱するのを促進させるために放熱フィン１４が取り付けられている。このような構造にすることで、出射レーザ光により加熱される先端チップ部１０の熱をヒートパイプ１１により伝導させ放熱フィン１４により外界に放熱させることができるので加熱した先端チップ部１０により目的外の生体組織を損傷する危険を低減することができる。また、加熱した先端チップ部１０に術者が接触した場合の安全性を向上することができる。
【００１３】
さらに本発明のレーザ医療装置では外界への放熱を効率良く行ない、かつ、先端チップ部１０の汚染を防止するために、ハンドピース本体部９が装置本体部５から導かれた第１の送風系１７、第２の送風系１８に接続されている。第１の送風系１７からハンドピース本体部９に導かれた送風は、図４の矢印に示すように、ハンドピース本体部９内に設けられた仕切り板１９を介して先端チップ部１０より送風が放出される。このような構造にすることにより、術中において生体組織、血液などによる先端チップ部１０の汚染、目詰まりを防止することができる。
一方、ハンドピース本体部９に接続された第２の送風系１８を介して装置本体部５に設けられた第２の送風機構１６では外気を吸引する構成にしている。このような構成にすることで、図４の矢印に示すような経路を経てヒートパイプ１１のヒートアウト部１３に取り付けられた放熱フィン１４を冷却し、熱を外界に放出するのを促進させることができると共に、術者の把持部であるハンドピース本体部９から不快な熱風の放出を無くすことができるので操作性の向上にも役立つ。
【００１４】
【発明の効果】
以上のように本発明によれば、レーザ出射端に生じる蓄熱を効率的に放熱するための機構を具備し、かつ、レーザ出射端の汚染を防止する機能を併せ持たせ、安全性、操作性に優れた医療用レーザ装置が実現できる。また、レーザ出射部の先端チップの熱疲労を防止でき、装置の高寿命化も図れる。
【図面の簡単な説明】
【図１】本発明の第１の実施例の全体ブロック図。
【図２】本発明の第１の実施例のハンドピース部の拡大図。
【図３】本発明の第２の実施例の全体のブロック図。
【図４】本発明の第２の実施例のハンドピース部の拡大図。
【符号の説明】
１…電源、２…レーザ発振器、３…コントローラ、４…送風機構、５…装置本体部、６…導光系、７…送風系、８…ハンドピース部、９…ハンドピース本体部、１０…先端チップ部、１１…ヒートパイプ、１２…ヒートイン部、１３…ヒートアウト部、１４…放熱フィン、１５…第１の送風機構、１６…第２の送風機構、１７…第１の送風系、１８…第２の送風系、１９…仕切り板。
【図１】
2004089393.tif 000003
【図２】
2004089393.tif 000004
【図３】
2004089393.tif 000005
【図４】
2004089393.tif 000006